(57)【要約】【課題】メンテナンスモードで更新された設定値の更新履歴、設定値を更新したユーザー、設定値の更新日時を容易に確認できるようにする。【解決手段】画像形成装置１０において、制御ユニット２９は、操作部２２及びタッチパネル２４の操作によりユーザーの識別情報及びパスワードが入力されると、メンテナンスモードを開始させて、設定値を記憶部２８から読み出して表示部２１に表示させ、操作部２２及びタッチパネル２４の操作により当該設定値が変更されると、記憶部２８に記憶されている設定値を変更された設定値に書き換えて更新し、更新前の設定値と当該更新された設定値を示す更新前後データと、ユーザーの識別情報と、当該更新された設定値の更新日時とを、履歴情報として記憶部２８に記憶させる。【選択図】図２
2020108126.tif 000002
【特許請求の範囲】
【請求項１】
表示部と、
ユーザーから指示が入力される操作部と、
前記操作部にユーザーの正規の識別情報が少なくとも入力されると、本画像形成装置をメンテナンスモードで動作させる制御部と、
メンテナンスモードでの動作時に設定された、本画像形成装置による各種動作のレベルを定める設定値を記憶する記憶部と、を備え、
前記制御部は、前記メンテナンスモードでの動作時に、前記設定値を前記記憶部から読み出して前記表示部に表示させ、前記操作部の操作により当該設定値が変更されると、前記記憶部に記憶されている設定値を前記変更された設定値に書き換えて更新し、更新前の設定値と当該更新された後の設定値を示す更新前後データと、前記ユーザーの識別情報と、当該更新された設定値の更新日時とを履歴情報として前記記憶部に記憶させる画像形成装置。
【請求項２】
前記制御部は、前記更新した設定値を用いて本画像形成装置を動作させたときに動作異常が生じた場合、異常有りを示す異常発生情報を、当該更新された設定値に対応する前記履歴情報に含めて前記記憶部に記憶させる請求項１に記載の画像形成装置。
【請求項３】
前記制御部は、前記操作部に履歴情報を表示させる指示が入力されたとき、前記記憶部に記憶されている全ての履歴情報を前記表示部に表示させ、前記操作部に任意の履歴情報を選択する選択指示が入力されると、この時点で前記記憶部に記憶されている各設定値を、当該選択指示により選択された任意の履歴情報が示す更新後の各設定値に書き換えて更新する請求項１又は請求項２に記載の画像形成装置。
【発明の詳細な説明】
【技術分野】
【０００１】
本発明は、メンテナンスモードで設定値を設定する画像形成装置に関し、特に、本画像形成装置による各種動作のレベルを定める設定値を管理する技術に関する。
【背景技術】
【０００２】
画像形成装置には、画像形成装置が実行可能な各動作のレベルを設定する操作を受け付けるメンテナンスモードを有しているものがある。画像形成装置は、メンテナンスモードでの動作時には、ユーザーによる操作部の操作に基づいて、当該画像形成装置による上記各動作のレベルを示す設定値の入力を受け付ける。この設定値は、例えば、記録紙に対する画像形成領域の位置、定着温度、用紙搬送用又はドラム回転用のモーターの速度などを示す値として用いられる。
【０００３】
また、特許文献１に記載の電子機器は、設定項目の設定値を変更するサービスを提供するサービス制御部と、設定値の変更に対する承認が要求された場合に、承認するか否かを指定するための承認画面を表示部に表示させる表示制御部と、承認画面で承認することが指定された場合に、変更された設定値を設定する設定管理部と、を備えるものである。これにより、電子機器（例えば画像形成装置）の設定値の変更に関するセキュリティを維持することができる。
【先行技術文献】
【特許文献】
【０００４】
【特許文献１】特開２０１７−０５４４０２号公報
【発明の概要】
【発明が解決しようとする課題】
【０００５】
ここで、上記のようにメンテナンスモードでの動作時に上記設定値が変更されて、設定値を変更したことにより画像形成装置の動作に異常が発生した場合、変更された設定値及び当該設定値に変更した者が誰であるかを知ることができない。このため、設定値を変更した当事者が居なければ、その動作の異常の原因を特定するまでに時間や手間を費やすこととなる。
【０００６】
特許文献１では、画像形成装置の設定値の変更に関するセキュリティレベルを向上させることができても、設定値の変更後に生じる上記のような問題を解決することができない。
【０００７】
本発明は、上記の事情に鑑みなされたものであり、メンテナンスモードで更新された設定値の更新履歴、設定値を更新したユーザー、設定値の更新日時を容易に確認可能にすることを目的とする。
【課題を解決するための手段】
【０００８】
本発明の一局面にかかる画像形成装置は、表示部と、ユーザーから指示が入力される操作部と、前記操作部にユーザーの正規の識別情報が少なくとも入力されると、本画像形成装置をメンテナンスモードで動作させる制御部と、メンテナンスモードでの動作時に設定された、本画像形成装置による各種動作のレベルを定める設定値を記憶する記憶部と、を備え、前記制御部は、前記メンテナンスモードでの動作時に、前記設定値を前記記憶部から読み出して前記表示部に表示させ、前記操作部の操作により当該設定値が変更されると、前記記憶部に記憶されている設定値を前記変更された設定値に書き換えて更新し、更新前の設定値と当該更新された後の設定値を示す更新前後データと、前記ユーザーの識別情報と、当該更新された設定値の更新日時とを履歴情報として前記記憶部に記憶させるものである。
【発明の効果】
【０００９】
本発明によれば、メンテナンスモードで更新された設定値の更新履歴、設定値を更新したユーザー、設定値の更新日時を容易に確認できる。
【図面の簡単な説明】
【００１０】
【図１】本発明の一実施形態にかかる画像形成装置を示す断面図である。
【図２】本実施形態の画像形成装置の主要内部構成を示すブロック図である。
【図３】画像形成装置のメンテナンスモードを開始して、各設定値の更新等を行うための処理手順を示すフローチャートである。
【図４】画像形成装置の記憶部に予め記憶されているデフォルトの各設定値を例示する図である。
【図５】（Ａ）は画像形成装置の表示部に表示されたメンテナンス画面を示す図であり、（Ｂ）は画像形成装置の表示部に表示された選択画面を示す図である。
【図６】記憶部に記憶された履歴情報を例示する図である。
【図７】記憶部に記憶された複数の履歴情報を例示する図である。
【図８】サービスコール有りが付加された履歴情報を例示する図である。
【図９】（Ａ）は表示部に表示された履歴情報画面を示す図であり、（Ｂ）は履歴情報画面における任意の履歴情報を示す図であり、（Ｃ）は表示部に表示された選択画面を示す図である。
【発明を実施するための形態】
【００１１】
以下、本発明の一実施形態について図面を参照して詳細に説明する。図１は、本発明の一実施形態にかかる画像形成装置を示す断面図である。この図１に示す画像形成装置１０は、例えば、コピー機能、プリンター機能、スキャナー機能のような複数の機能を兼ね備えたＭＦＰ（複合機）である。この画像形成装置１０は、画像読取部１１と、画像形成部１２とを備えている。
【００１２】
画像読取部１１は、原稿の画像を光学的に読み取る撮像素子を有しており、この撮像素子のアナログ出力がデジタル信号に変換されて、原稿の画像を示す画像データが生成される。
【００１３】
画像形成部１２は、上記画像データによって示される画像を記録紙に形成するものであり、マゼンタ用の画像形成ユニット３Ｍ、シアン用の画像形成ユニット３Ｃ、イエロー用の画像形成ユニット３Ｙ、及びブラック用の画像形成ユニット３Ｂｋを備えている。各画像形成ユニット３Ｍ、３Ｃ、３Ｙ、及び３Ｂｋのいずれにおいても、感光体ドラム４の表面を均一帯電させ、感光体ドラム４の表面を露光して、感光体ドラム４の表面に静電潜像を形成し、感光体ドラム４の表面の静電潜像をトナー像に現像して、感光体ドラム４の表面のトナー像を中間転写ベルト５に１次転写する。これにより、カラーのトナー像が中間転写ベルト５上に形成される。このカラーのトナー像は、中間転写ベルト５と２次転写ローラー６の間のニップ域Ｎにおいて給紙部１４から搬送路８を通じて搬送されてきた記録紙Ｐに２次転写される。
【００１４】
この後、定着装置１５で記録紙Ｐが加熱及び加圧されて、記録紙Ｐ上のトナー像が熱圧着により定着され、更に記録紙Ｐが排出ローラー１６を通じて排出トレイ１７に排出される。
【００１５】
次に、画像形成装置１０の制御に係る構成について説明する。図２は、画像形成装置１０の主要内部構成を示す機能ブロック図である。この図２に示すように画像形成装置１０は、画像読取部１１と、画像形成部１２と、表示部２１と、操作部２２と、通信部２３と、タッチパネル２４と、記憶部２８と、制御ユニット２９とを備えている。これらの構成要素は、互いにバスを通じてデータ又は信号の送受信が可能とされている。
【００１６】
表示部２１は、液晶ディスプレイ（ＬＣＤ：Liquid Crystal Display）や有機ＥＬ（ＯＬＥＤ：Organic Light-Emitting Diode）ディスプレイなどから構成される。操作部２２は、テンキー、決定キー、スタートキーなどのハードキーを備え。ユーザーによる操作で各種の指示が入力される。
【００１７】
表示部２１の画面には、タッチパネル２４が配置されている。タッチパネル２４は、所謂抵抗膜方式や静電容量方式などのタッチパネルであって、タッチパネル２４に対するユーザーの指などの接触（タッチ）をその接触位置とともに検知して、その接触位置の座標を示す検知信号を制御ユニット２９の後述する制御部３１などに出力する。
【００１８】
通信部２３は、ＬＡＮチップなどの通信モジュールを備える通信インターフェイスである。この通信部２３は、ネットワークＮを通じて、パーソナルコンピューター（ＰＣ）やサーバーなどに接続され、ＰＣやサーバーなどとの間でデータ通信を行う。
【００１９】
記憶部２８は、ＳＳＤ（Solid State Drive）、ＨＤＤ（Hard Disk Drive）などの大容量の記憶装置であって、各種のアプリケーションプログラムや種々のデータを記憶している。記憶部２８は、画像形成装置１０の動作制御に用いる値として、画像形成装置１０の各動作についてのそれぞれの設定値を記憶する。
【００２０】
制御ユニット２９は、プロセッサー、ＲＡＭ(Random Access Memory）、及びＲＯＭ（Read Only Memory）などから構成される。プロセッサーは、例えばＣＰＵ（Central Processing Unit）、ＡＳＩＣ（Application Specific Integrated Circuit）、又はＭＰＵ（Micro Processing Unit）等である。制御ユニット２９は、上記のＲＯＭ又は記憶部２８に記憶された制御プログラムが上記のプロセッサーで実行されることにより、制御部３１として機能する。尚、制御ユニット２９の制御部３１は、前述の制御プログラムに基づく動作によらず、ハード回路により構成されてもよい。
【００２１】
制御部３１は、画像形成装置１０を統括的に制御する。制御ユニット２９は、表示部２１、操作部２２、タッチパネル２４、記憶部２８、画像読取部１１、及び画像形成部１２などと接続されている。制御部３１は、これらの構成要素の動作制御や、該各構成要素との間での信号またはデータの送受信を行う。
【００２２】
制御部３１は、画像形成装置１０による画像形成に必要な各種の処理などを実行する処理部としての役割を果たす。また、制御部３１は、表示部２１の表示動作を制御する機能を有する。制御部３１は、通信部２３の通信動作を制御する機能を有する。
【００２３】
なお、操作部２２及びタッチパネル２４は、特許請求の範囲における「操作部」に相当する。
【００２４】
ここで、画像形成装置１０において、ユーザー（サービスマンなど）が、操作部２２を操作して、正規のパスワード及びユーザーの識別情報（識別情報のみでもよい）を入力し、メンテナンスモードの開始を指示すると、制御部３１は、当該入力に応じて、画像形成装置１０をメンテナンスモードで動作させる。このメンテナンスモードは、画像形成装置１０が実行可能な各動作のレベルを設定する操作を受け付ける動作モードである。
【００２５】
画像形成装置１０は、メンテナンスモードでの動作時には、ユーザーによる操作部２２の操作に基づいて、画像形成装置１０により上記各動作のレベルを示す設定値の入力を受け付ける。すなわち、設定値は、画像形成装置１０の各種動作のレベルを定める値である。この設定値は、例えば、記録紙に対する画像形成領域の位置、定着温度、用紙搬送用又はドラム回転用のモーターの速度などを示す値として用いられる。
【００２６】
このメンテナンスモードでは、制御部３１は、この時点で記憶部２８に既に記憶されている、画像形成装置１０の各種の設定値を読み出して、表示部２１に表示させる。ユーザーがこの表示を視認して、この時点で記憶部２８に既に記憶されている画像形成装置１０の各種の設定値を確認しながら、操作部２２の操作により上記各動作についての新たな設定値を入力可能である。ユーザーが、操作部２２を操作して新たな設定値を入力すると、制御部３１は、当該入力された設定値を受け付けて、ユーザーによる指示の下、記憶部２８に記憶されているそれまでの設定値を更新する。
【００２７】
制御部３１は、このように各設定値を更新したとき、更新前の設定値と更新後の設定値を示す更新前後データと、ユーザーの識別情報と、当該更新された設定値の更新日時とを、履歴情報として記憶部２８に記憶させる。
【００２８】
そして、制御部３１は、画像形成装置１０をメンテンナンスモードによる動作ではなく通常動作させるとき、画像形成装置１０の動作制御に用いる値としてこの時点で記憶部２８に記憶されている、更新された設定値を含む各動作についてのそれぞれの設定値を用いて、画像形成装置１０の各動作を駆動制御する。更に、制御部３１は、画像形成装置１０の動作に異常が生じたことが既知の方法により検出された場合に、異常の発生（例えば、サービスコールがあったこと）を示す異常発生情報を、その更新された設定値に対応する履歴情報に含めて記憶部２８に記憶させる。
【００２９】
また、制御部３１は、操作部２２の操作によりメンテナンスモードが開始されたときに、この時点で記憶部２８に記憶されている各設定値だけではなく、履歴情報を記憶部２８から読み出して表示部２１に表示させる。ユーザーは、表示部２１に表示される、履歴情報に含まれる更新前後データ、ユーザーの識別情報、更新日時、異常発生情報を視認することで、この時点で設定されている各設定値と、画像形成装置１０の動作異常との関連性を推定し、或いは、各設定値を以前のそれぞれの値に戻すことの検討が可能になる。
【００３０】
次に、上記のようなメンテナンスモードを開始して、各設定値の更新などを行うための処理手順を、図３に示すフローチャート等を参照して更に詳しく説明する。
【００３１】
ユーザー（サービスマンなど）は、例えば操作部２２又はタッチパネル２４を操作して、パスワード及びユーザーの識別情報（識別情報のみとしてもよい）を入力し、メンテナンスモードの開始を指示する。制御部３１は、当該指示を受け付けると、入力されたパスワードと予め記憶している正規のパスワードを照合し、両者のパスワードが一致すると、当該ユーザーのログインを承認して（Ｓ１０１）、メンテナンスモードで画像形成装置１０を動作させる（Ｓ１０２）。制御部３１は、メンテナンスモードでの動作が開始されると、記憶部２８にこの時点で記憶されている各設定値を読み出して、図５（Ａ）に示すようなメンテナンス画面Ｇ１を表示部２１に表示させる。なお、記憶部２８に記憶されている各設定値が初期値（例を図４に示す）から変更されていない場合は、制御部３１は、当該初期値からなる各設定値をデフォルトとして上記メンテナンス画面Ｇ１を表示部２１に表示させる。以下は、初期値（デフォルトの設定値）がメンテナンス画面Ｇ１として表示部２１に表示される場合を説明する。
【００３２】
例えば、図４に示すように、デフォルトの各設定値が、印字位置＋３０、モーター速度＋５０、定着温度１８０、……である場合、制御部３１は、図５（Ａ）に例を示すメンテナンス画面Ｇ１のように、各設定値を入力するための数値入力ボックスＮＭ１、ＮＭ２、……、ログアウトキーＫ１、及び履歴情報キーＫ２を表示部２１に表示させる。各数値入力ボックスＮＭ１、ＮＭ２、……には、デフォルトの各設定値が表示されている。なお、制御部３１は、各数値入力ボックスＮＭ１、ＮＭ２、……を、ユーザーからタッチパネル２４を介して入力されるスクロール指示に応じて、上下方向にスクロール表示させる。
【００３３】
ユーザーが、各数値入力ボックスＮＭ１、ＮＭ２、……の別に、数値入力ボックスのアップダウンボタンＢ１をタッチ操作すると、タッチパネル２４を介して、当該数値入力ボックスの設定値を増減させる増減指示が入力される。制御部３１は、当該増減指示を受け付けた場合（Ｓ１０３「数値入力」）、数値入力ボックスに表示させる設定値を、当該指示に従って増減させる（Ｓ１０４）。すなわち、制御部３１は、当該指示に従って増減させた設定値を当該数値入力ボックスに表示させる。
【００３４】
そして、ユーザーがログアウトキーＫ１をタッチ操作すると、制御部３１は、タッチパネル２４を通じて、ログアウト指示を受け付ける。制御部３１は、このログアウト指示を受け付けると、図５（Ｂ）に例を示す選択画面Ｇ３を表示部２１に例えばポップアップ表示させる。この図５（Ｂ）に示す選択画面Ｇ３には、ＯＫキーＫ２１及びキャンセルキーＫ２２が表示される。ユーザーがＯＫキーＫ２１をタッチ操作すると、タッチパネル２４を介して、制御部３１に、記憶部２８に記憶されている設定値を更新する更新指示が受け付けられる。ユーザーがキャンセルキーＫ２２をタッチ操作すると、タッチパネル２４を介して、制御部３１に、記憶部２８に記憶されている設定値を更新しないキャンセル指示が受け付けられる。
【００３５】
そして、制御部３１は、上記更新指示を受け付けた場合、画像形成装置１０の動作制御に用いる値としてこの時点で記憶部２８に記憶されている各設定値を、上記増減させる指示に従って増減させた各設定値（この時点で各数値入力ボックスＮＭ１、ＮＭ２、……に表示させている設定値）に更新する（Ｓ１０５）。なお、制御部３１は、上記キャンセル指示が受け付けられた場合には、各設定値を更新せず、履歴情報も記憶部２８に記憶させない。
【００３６】
続いて、制御部３１は、図６に例を示すような、更新前の設定値と今回の更新の後の設定値を示す更新前後データＳＤ１と、ユーザーの識別情報ＩＤＡと、当該更新された設定値の更新日時とを含む履歴情報ＲＤ１を生成して、この履歴情報ＲＤ１を記憶部２８に記憶させる（Ｓ１０６）。この後、制御部３１は、メンテナンスモードを終了させて、ログアウトを行い、図３に示す処理を終了する。
【００３７】
以降、制御部３１は、上記更新された設定値を含む、画像形成装置１０の動作制御に用いる値として記憶部２８に記憶されている各設定値を用いて、画像形成装置１０の動作を駆動制御する。
【００３８】
また、Ｓ１０１〜Ｓ１０６の処理が繰り返し行われると（制御部３１が上記更新指示を受け付けているものとする）、その度に、制御部３１は、画像形成装置１０の動作制御に用いる値として記憶部２８に記憶されている各設定値を更新して履歴情報を記憶部２８に記憶させる。制御部３１は、このような更新の度に各履歴情報を順次記憶部２８に記憶させることになる。図７はこれら履歴情報の例を示す。各履歴情報ＲＤ２〜ＲＤ４は、更新前の設定値と更新された設定値を示す更新前後データＳＤ２〜ＳＤ４と、ユーザーの識別情報ＩＤＡ、ＩＤＢ、ＩＤＢと、更新された設定値の更新日時とをそれぞれ含んでいる。
【００３９】
例えば、履歴情報ＲＤ１の更新前後データＳＤ１は、更新前の印字位置＋３０と更新された印字位置＋２０、更新前のモーター速度＋５０と更新されたモーター速度＋２０からなる。また、履歴情報ＲＤ２の更新前後データＳＤ２は、更新前の印字位置＋２０と更新された印字位置＋１０、更新前の定着温度１８０と更新された定着温度１７０からなる。同様に、履歴情報ＲＤ３の更新前後データＳＤ３は、更新前の印字位置＋１０と更新された印字位置＋３０、更新前のモーター速度＋２０と更新されたモーター速度＋５０からなり、履歴情報ＲＤ４の更新前後データＳＤ４は、更新前の印字位置＋３０と更新された印字位置＋３１、更新前のモーター速度＋５０と更新されたモーター速度＋５２からなる。例えば、制御部３１は、各履歴情報における更新前後データとしては、画像形成装置１０の動作制御に用いる値として記憶部２８に記憶されている各設定値のうち、変更された設定値のみを記憶させるが、変更されていない設定値についても、当該更新時における値を履歴情報に含ませて記憶させておく。
【００４０】
なお、制御部３１は、記憶部２８に更新された各設定値に基づき画像形成装置１０の動作を駆動制御しているときに、当該画像形成装置１０に異常が生じたことが検出されると、サービスコール（当該画像形成装置１０の管理者への通報）を実行するための処理を行う。制御部３１は、当該画像形成装置１０に異常が生じたとき、異常有りを示す異常発生情報として、サービスコール有りを示す情報を、当該更新された設定値に対応する履歴情報に含めて記憶部２８に記憶させる。例えば、図８に示すように、サービスコール有りを示す情報が履歴情報ＲＤ４に付加されて記憶される。
【００４１】
次に、履歴情報を記憶部２８から読み出して表示部２１に表示させ、履歴情報に基づき各設定値を以前のそれぞれの値に戻す処理を説明する。
【００４２】
上記のようにユーザーは、操作部２２又はタッチパネル２４を操作して、正規のパスワード及びユーザーの識別情報（識別情報のみとしてもよい）を入力し、メンテナンスモードの開始を指示する。制御部３１は、この指示に応じて、入力されたパスワードに基づき当該ユーザーのログインを承認すると（Ｓ１０１）、メンテナンスモードでの動作を開始させる（Ｓ１０２）。制御部３１は、メンテナンスモードが開始されると、図５（Ａ）に示すメンテナンス画面Ｇ１を表示部２１に表示させる。
【００４３】
ここで、ユーザーが、履歴情報キーＫ２をタッチ操作すると、タッチパネル２４を介して、履歴情報を表示させる指示が入力される。制御部３１は、タッチパネル２４を通じて、当該履歴情報を表示させる指示を受け付けると（Ｓ１０３「履歴情報」）、全ての履歴情報を記憶部２８から読み出して表示部２１に表示させる（Ｓ１０７）。例えば、図７に示すような履歴情報ＲＤ１〜ＲＤ４が記憶されているとき、制御部３１は、表示部２１に、図９（Ａ）に示すような履歴情報画面Ｇ２を表示させる。この図９（Ａ）に示す履歴情報画面Ｇ２には、画像形成装置１０に現在適用されている各設定値に対応する履歴情報ＲＤ４が表示されると共に、全ての履歴情報ＲＤ１〜ＲＤ４に対応するそれぞれのタブＴＢ１〜ＴＢ４、及びログアウトキーＫ１１が表示される。
【００４４】
ここで、ユーザーがタブＴＢ１〜ＴＢ４のうち、任意のタブをタッチ操作すると、タッチパネル２４を通じて、タッチ操作されたタブに対応付けられている履歴情報を選択する選択指示が入力され、制御部３１は、当該選択指示を受け付けると、当該選択指示が示す履歴情報を表示部２１に表示させる（Ｓ１０８）。例えば、タブＴＢ２がタッチ操作されると、制御部３１は、図９（Ｂ）に示すようにタブＴＢ２の履歴情報ＲＤ２を表示させる。同様に、他のタブＴＢ１、ＴＢ３、又はＴＢ４がタッチ操作されると、制御部３１は、当該タッチ操作に対応する履歴情報ＲＤ１、ＲＤ３、又はＲＤ４のいずれかを表示させる。
【００４５】
そして、ユーザーがログアウトキーＫ１１をタッチ操作すると、タッチパネル２４を通じて、ログアウトキー指示が入力され、制御部３１は、当該ログアウト指示を受け付けると、図９（Ｃ）に示す選択画面Ｇ３を表示部２１に表示させる。ユーザーは、ＯＫキーＫ２１又はキャンセルキーＫ２２をタッチ操作して、記憶部２８に記憶されている設定値を更新するか否かを選択する。
【００４６】
ユーザーによりＯＫキーＫ２１が押下されると、タッチパネル２４を通じて、記憶部２８に記憶されている各設定値を、この時点で表示されている履歴情報が示す各設定値に書き換える旨の書換指示が入力され、制御部３１が、当該書換指示を受け付けると、この時点で履歴情報画面Ｇ２に内容まで表示されている履歴情報（図９（Ｃ）では履歴情報ＲＤ２）に含まれる更新前後データが示す更新後の各設定値を記憶部２８から読み出し、更に、当該履歴情報として記憶されている他の各設定値を制御部３１が読み出す（Ｓ１０９）。
【００４７】
例えば、図９（Ａ）に示すように履歴情報ＲＤ４の内容を示す履歴情報画面Ｇ２が表示されているとき、ユーザーは、履歴情報ＲＤ４に示されているサービスコール有りを示す情報を視認できるので、履歴情報ＲＤ４に示される更新後の各設定値では、画像形成装置１０が正常に動作しないことを認識できる。このような認識の下、ユーザーが、例えば、他の履歴情報である履歴情報ＲＤ２のタブＴＢ２をタッチ操作すると、制御部３１は、履歴情報ＲＤ２の内容を表示させることになる。このとき、ユーザーは、履歴情報ＲＤ２にはサービスコール有りを示す情報がないことを視認できる。この状態で、ユーザーがログアウトキーＫ１１をタッチ操作し、これに伴って制御部３１が表示する選択画面Ｇ３のＯＫキーＫ２１をタッチ操作すると、制御部３１は、上記書換指示を受け付けて、この時点で表示されている履歴情報に含まれる更新前後データが示す各設定値を記憶部２８から読み出し、更に、履歴情報ＲＤ２として記憶されている他の各設定値を制御部３１が読み出す（Ｓ１０９）。ここでは、図７に示すように更新前後データＳＤ２における印字位置（＋２０→＋１０）、定着温度（１８０→１７０）が示す、印字位置（＋１０）、定着温度（１７０）のそれぞれの設定値と、履歴情報ＲＤ２として記憶されている他の各設定値を、制御部３１が読み出す。
【００４８】
制御部３１は、この時点で記憶部２８に画像形成装置１０の動作制御に用いるとして記憶されている各設定値を、上記のようにして読み出した、この時点で表示されている履歴情報に含まれる各設定値に書き換えて更新する（Ｓ１１０）。例えば、制御部３１は、この時点で記憶部２８に画像形成装置１０の動作制御に用いるとして記憶されている各設定値を、上記のようにして読み出した、印字位置＋１０、定着温度１７０、及び、上記読み出した他の各設定値に書き換える。
【００４９】
この後、制御部３１は、メンテナンスモードを終了させて、ログアウトを行い、図３に示す処理を終了する。
【００５０】
以降、制御部３１は、記憶部２８に更新された、画像形成装置１０の動作制御に用いるとして記憶されている各設定値に基づき画像形成装置１０の動作を駆動制御する。
【００５１】
なお、キャンセルキーＫ２２がタッチ操作された場合は、タッチパネル２４を介して、記憶部２８に記憶されている各設定値を書き換えない指示が入力され、制御部３１は、当該指示を受け付けると、記憶部２８に記憶されている各設定値を更新しない。
【００５２】
このように本実施形態では、メンテナンスモードの状態で、操作部２２の操作により設定値が変更されると、記憶部２８に記憶されている設定値をその変更された設定値に書き換えて更新し、更新前の設定値と更新された設定値を示す更新前後データと、ユーザーの識別情報と、当該更新された設定値の更新日時とを履歴情報として記憶部２８に記憶させている。そして、記憶部２８内の各設定値に基づき画像形成装置１０を駆動制御し、画像形成装置１０に異常が生じた場合に、サービスコール有りを示す情報を、更新された設定値に対応する履歴情報に含めて記憶部２８に記憶させている。
【００５３】
また、操作部２２の操作によりメンテナンスモードが開始されたときに、履歴情報を記憶部２８から読み出して表示部２１に表示させる。
【００５４】
従って、上記実施形態によれば、画像形成装置１０のメンテナンスを担当するユーザー等は、メンテナンスモードで更新された設定値の更新履歴、設定値を更新したユーザー、設定値の更新日時を容易に確認可能にすることが可能である。
【００５５】
このため、ユーザーは、履歴情報に含まれる更新前後データ、ユーザーの識別情報、更新日時、及びサービスコール有りを示す情報を確認して、各設定値と画像形成装置１０の異常の関連性を推定し、或いは、各設定値を動作異常になる前の値に戻すことが可能になる。
【００５６】
なお、上記実施形態では、本発明に係る画像形成システムの一実施形態として画像形成装置（複合機）を用いて説明しているが、これは一例に過ぎず、コピー機、プリンター、ファクシミリ装置等の他の画像形成装置でもよい。
【００５７】
また、図１乃至図９を用いて説明した上記実施形態の構成及び処理は、本発明の一例に過ぎず、本発明を当該構成及び処理に限定する趣旨ではない。
【符号の説明】
【００５８】
１０    画像形成装置
１１    画像読取部
１２    画像形成部
２１    表示部
２２    操作部
２３    通信部
２４    タッチパネル
２８    記憶部
２９    制御ユニット
３１    制御部
【図１】
2020108126.tif 000003
【図２】
2020108126.tif 000004
【図３】
2020108126.tif 000005
【図４】
2020108126.tif 000006
【図５】
2020108126.tif 000007
【図６】
2020108126.tif 000008
【図７】
2020108126.tif 000009
【図８】
2020108126.tif 000010
【図９】
2020108126.tif 000011